(57)【特許請求の範囲】
【請求項１】
汚染環境から医療患者を隔離し、かつ前記患者からの汚染物の除去を容易にする装置であって、
（ａ）汚染物に対して実質的に不透性な材料から形成された、チャンバを有する可撓性カプセルと、
（ｂ）前記カプセルを開閉して、前記内部チャンバをそれぞれ前記汚染環境に暴露したりまたは前記汚染環境から隔離したりするために前記カプセルの周縁に沿って形成された封鎖部と、
（ｃ）汚染物を含まない加圧空気の供給源と、
（ｄ）前記汚染物を含まない加圧空気の供給源に連結するために前記カプセル上に形成されたダクトと、
（ｅ）前記ダクトと流体の行き来が可能であるように接続して前記カプセル上に形成されたリブ通路と、前記通路の上には少なくとも１つの前記内部チャンバに対面する孔が形成されており、前記通路に前記加圧空気が供給されると、前記空気が前記カプセルの周囲から前記少なくとも１つの孔を介して径方向内側に向かって前記カプセルの前記内部チャンバ中に送り込まれることと、
（ｆ）前記カプセルの前記内部チャンバ上に形成された排気バルブと、前記排気バルブは、使用時、前記空気が前記少なくとも１つの孔から前記内部チャンバに送り込まれると、前記空気が前記医療患者を全身にわたり洗浄し、前記患者に付着している汚染物を迅速に除去して、前記排気バルブを介して前記内部チャンバから排出されるように、前記空気を前記チャンバから真空の力により排出させるように形成されていることと
を有する装置。
【請求項２】
前記カプセルが、協同して前記内部チャンバを形成する互いに接続可能な第１および第２のバッグ部分から成り、前記封鎖部が、前記第１および第２のバッグ部分を互いに結びつけるための第１および第２のバッグ部分の周縁に沿ってファスナーを備える請求項１に記載の装置。
【請求項３】
加圧空気を受容するための前記通路が相互に流体の行き来が可能であるように接続された複数の管状ガス通路を含み、前記複数の管状通路に加圧空気が供給されると、前記カプセルが膨張位置をとって半剛体構造を形成するようになっている請求項
１に記載の装置。
【請求項４】
前記通路上には複数の前記内部チャンバに対面する孔が形成されており、前記複数の孔は、空気を前記カプセルの前記内部チャンバに送り込みかつ分配するように設計かつ構成されている請求項１に記載の装置。
【請求項５】
前記カプセルが透明材料から形成されている請求項１に記載の装置。
【請求項６】
前記カプセルが基端部と先端部とを有するように形成され、前記医療患者が内部チャンバ内に収容されるときには、前記医療患者の頭が前記基端部方向に向けられ、前記医療患者の足および脚が前記先端部方向に向けられ、前記排気バルブは、加圧空気が前記内部チャンバに運ばれると、前記空気が前記患者の全身を頭のてっぺんからつま先へ向かう方向に洗浄するように、前記カプセルの前記先端部上に形成されている請求項１に記載の装置。
【請求項７】
汚染環境から負傷者を隔離し、前記負傷者からの毒性および感染性残留物の除去を容易にする装置であって、
（ａ）毒性および感染性残留物に対して実質的に不透性な材料から形成され、内部チャンバを有し、かつ前記負傷者の全身を収容する大きさに調節されかつ適合された基端部と先端部とを有する可撓性カプセルと、
（ｂ）前記カプセルを開閉して、前記内部チャンバをそれぞれ前記汚染環境に暴露したりまたは前記汚染環境から隔離したりするために前記カプセルの周縁に沿って形成された封鎖部と、
（ｃ）毒性および感染性残留物を含まない加圧空気供給源と、
（ｄ）前記加圧空気供給源からの加圧空気と連結し、かつ前記空気を受容するために前記カプセル上に形成されたダクトと、
（ｅ）前記カプセル上に形成され、前記ダクトと流体の行き来が可能であるように接続している複数の前記内部チャンバに対面する孔が上部に形成されている少なくとも１つのリブ通路と、前記加圧空気が前記通路によって受容されると前記空気が前記カプセルの周囲から前記孔を介して径方向内側に向かって前記内部チャンバに送り込まれることと、
（ｆ）前記カプセル上に形成され、かつ前記内部チャンバに流体接続している排気バルブと、前記排気バルブは、前記空気が前記内部チャンバ内に送り込まれると、空気流が前記負傷者上に誘導されて、前記負傷者に付着している毒性および感染性残留物を除去し、前記排気バルブから排出されるように、前記空気を前記チャンバから真空の力により排出させるように配置されることと
を有する装置。
【請求項８】
前記通路が相互に流体の行き来が可能であるように接続されている複数の管状ガス通路を含み、前記管状ガス通路に加圧空気が供給されると、前記カプセルが膨張形状をとって半剛体構造を形成するようになっている請求項７に記載の装置。
【請求項９】
前記複数の孔は、前記加圧空気が前記内部チャンバ内に運ばれたときに前記空気が内部に収容された負傷者の周囲に均一に分配されるように前記管状通路に沿って間隔を置いて形成されている請求項８に記載の装置。
【請求項１０】
使用後に使い捨て可能である請求項７に記載の装置。
【請求項１１】
使用後に再利用するために、除染して、再梱包できる請求項７に記載の装置。
【請求項１２】
前記カプセルが基端部と先端部とを有するように形成され、前記負傷者が内部チャンバ内に収容されるときには、前記負傷者の頭が前記基端部方向に向けられ、前記負傷者の足および脚が前記先端部方向に向けられ、前記排気バルブは、加圧空気が前記内部チャンバに運ばれると、前記空気が前記負傷者の全身を頭のてっぺんからつま先へ向かう方向に洗浄するように、前記カプセルの前記先端部上に形成されている請求項７に記載の装置。
【請求項１３】
前記装置がさらに、前記加圧空気を受け取り、前記加圧空気から汚染物を濾過するためのフィルターをさらに含む請求項１に記載の装置。
【請求項１４】
前記装置がさらに、前記加圧空気を受け取り、前記加圧空気から毒性
および感染性残留物を濾過するためのフィルターをさらに含む請求項７に記載の装置。
【発明の詳細な説明】
【０００１】
発明の分野
本発明は、一般的には、医療施設外での集中治療が必要な患者の隔離および治療に利用される医療装置に関し、より詳細には、医療患者の救急蘇生、安定化および輸送に利用され、さらには、医療患者からの毒性残留物の除去を容易にする輸送可能な自蔵式隔離バッグに関する。
【０００２】
発明の背景
化学戦前線で発生するような汚染環境で人が怪我をしたり負傷者となったときには、典型的には、負傷者は担架または他のタイプの包囲装置に収容されて医療施設に運ばれる。包囲装置は、汚染物が周囲環境から死傷者に移行するのを阻止または防止する材料から製造するのが理想的である。
【０００３】
多くの場合、負傷者に対して直ちに治療を行うことが肝要である。しかし、治療を行うためには、先ず負傷者を隔離して、医療スタッフが負傷者を処置し得る包囲装置内に運ぶか、または負傷者を収容している包囲装置内に汚染物を導入することなく負傷者にアクセスできるようにする追加の手段を用意しなければならない。これに関して、環境に医療患者に対して有害となり得る物質が含まれている場合、患者をそのような環境から隔離することが望ましい。例えば、患者が大量に失血していたり、呼吸困難に陥ったりしている場合、患者が、塵埃や、排気ガス、煙などを吸い込むのを防ぐことが望ましい。また、戦場条件下に発生し得るような、細菌学的、化学的および／または放射線学的危険が存在する場合にも、医療患者をそのような環境から隔離することが望ましい。
【０００４】
さらに、そのような隔離された環境によって、そのような隔離された医療患者の衣類および／または皮膚上に付着している可能性がある前述の毒性および感染性残留物の除去を容易にして、適当な医療施設への輸送中に患者をさらに安定させることができれば、有利であろう。隔離された医療患者から前述の毒性および感染性残留物が迅速に除去されるように、隔離された医療患者を、絶えず再循環、除染かつ清新にされた空気が供給される環境内に収容するのが理想的である。
【０００５】
残念ながら、現在、戦場で負傷者の処置に利用できる従来の装置は、該して、治療の施与に貢献する環境を提供するには役に立たず、従って、近くにないことが多い適切な医療施設に負傷者を輸送するまでに、治療が遅れてしまう可能性がある。さらに、そのような従来の装置は、一般に、負傷者を汚染物から保護する環境を提供するには不十分なばかりか、実際、負傷者の皮膚および／または衣類上に既に存在する汚染物の除去を助けもしない。
【０００６】
従って、当業界では、隔離システム、特に、戦場で医療患者を乗せ、適当な医療施設を利用できるときまで患者を内部に収容しておく隔離バッグが必要とされている。さらに、汚染された外部環境から内部に収容された医療患者を保護して、そのような患者の症状を、化学および／または生物攻撃に起因する有毒物質の侵入、ならびに雨、風、塵埃、高温、寒冷、多湿および乾燥天候条件から生じる他の過酷かつ厳しい気候条件によって悪化させないように保護し得る隔離バッグを有する隔離システムを提供することが望ましい。さらに、隔離システムの一部として、内部に収容された患者に、再循環、除染かつ清新にされた空気を絶えず提供することができ、かつそのような患者に付着している毒性および感染性残留物を迅速に除去、濾過かつ除染し得るように絶えず上述の空気を供給することができる隔離バッグが必要とされている。また、医療患者の隔離システムの一部として、小スペースを占めるように特に設計および構成されていて、折りたたむと容易に持ち運ぶことができるが、使用時には迅速かつ容易に膨張させ得る隔離バッグも必要とされている。
【０００７】
発明の概要
本発明は、特に、従来技術に関る上述の問題に取り組みかつ軽減する。より特定的には、本発明は、外部汚染環境から負傷者または医療患者を保護するために、担架と一緒に用いられる、自蔵式生命維持システムを内蔵する輸送可能な隔離バッグを包含する。さらに、隔離バッグは、内部に収容した患者に付着している毒性および感染性残留物の除去を容易にする、再循環、除染かつ清新にされた空気を絶えず供給することができる。
【０００８】
好ましい実施態様によれば、隔離バッグは、隔離バッグと共に使用される担架の上にあおむけの姿勢をとった負傷者または医療患者の周囲に配置できる蓋を有する。隔離バッグは、互いに係合して内部に患者を配置し得る気密チャンバを形成するように設計かつ構成された、第１の下部バッグ部分と第２の上部バッグ部分との組み合わせを含む。そのようなチャンバ内へ入るには、閉鎖したときに漏れ止め封鎖部を形成するように特に形成された、第１および第２のバッグ部分の周縁に沿って形成された、長いファスナーの開口部を通る。上部バッグ部分の周囲には、一連の管状ガス通路が形成されており、管状ガス通路が加圧空気で充填されたときに上部バッグ部分が半剛体の平行管構造を形成するように、外部供給源から加圧空気を受容するように設計かつ構成されている。
【０００９】
上述の管状通路内側には、内部に収容されている患者に絶えず空気流を供給するように配向された複数の孔が形成されている。好ましい実施態様において、これらの複数の孔は、空気が供給されたときに毒性および感染性残留物の迅速な除去を容易にするように、空気が患者の全身にわたって頭のてっぺんからつま先方向に洗浄するように、蓋の管状構造上に形成されている。そのようなチャンバ内の空気の流通を容易にするために、バッグの一方の端部上には、バッグ内に供給された空気を基端から先端方向に吸い出すように設計された排出口または排気バルブが形成されている。
【００１０】
隔離バッグは、さらに、内部に収容されている患者を、雨、塵埃、高温、寒冷、多湿および乾燥天候条件から生ずる過酷かつ厳しい気候条件から保護し得る化学的抵抗材料および／または生物学的抵抗材料から製造することが好ましい。さらに、隔離バッグは、内部に収容されている患者を医療スタッフが目視でき、かつ患者の閉所恐怖感を最小限にするように透明な材料から製造することが好ましい。治療を容易にするために、隔離バッグは、患者に完全にアクセスするのに効果的な配置で隔離バッグ上に取りつけられた、好ましくは可撓性ハンドカバータイプの門形態の患者アクセス手段を備えているのが好ましい。そのような門システムは左手／右手が独立し、医療スタッフの手の操作能力および指先の器用さを最大にするように設計されているのが理想的である。さらに、そのような隔離バッグは、容易に保存かつ輸送できるように折りたたんだときには小さくコンパクトなスペースしかとらないが、必要時には簡単に配備して患者の周囲に閉鎖部を形成し得るように構成されているのが好ましい。
【００１１】
従って、本発明の目的は、患者を毒性または感染性環境から保護し、さらに、患者を雨、風、塵埃、高温、寒冷、多湿および乾燥気候条件から生じる過酷かつ厳しい気候条件から保護するための隔離バッグを提供することである。
【００１２】
本発明の別の目的は、患者を毒性または感染性環境から保護するための隔離システムの一部としての、慣用の輸送可能な生命維持システム装置、より特定的には、隔離バッグに供給された空気が内部に収容されている人に供給されてその人の周囲を洗浄するような空気供給およびその通気装置、に接続可能な隔離バッグを提供することである。
【００１３】
本発明の別の目的は、患者を毒性または感染性環境から保護するための隔離システムの一部としての、内部に収容されている患者に付着している毒性および感染性残留物の迅速な除去を容易にする隔離バッグを提供することである。
【００１４】
本発明の別の目的は、毒性または感染性環境から患者を保護するための隔離システムの一部としての、容易に保存かつ輸送できるように折りたたまれたときには小さくてコンパクトなスペースしかとらないが、使用時には迅速かつ容易に配備できる隔離バッグを提供することである。
【００１５】
本発明の別の目的は、毒性または感染性環境から患者を保護するための隔離システムの一部としての、内部に収容されている患者を医療スタッフが目視でき、かつ、そのような医療スタッフが内部に収容されて閉じこめられている患者の身体に迅速かつ容易にアクセスできる隔離バッグを提供することである。
【００１６】
本発明のさらに他の目的は、毒性または感染性環境から患者を保護するための隔離システムの一部としての、簡単な構造を有するものであると共に、簡単にしかも直ぐに使用し得る隔離バッグを提供することである。
【００１７】
発明の詳細な説明
本発明の上記および他の特徴は、以下の説明および図面からより明らかにされよう。図示かつ記載されている特定の構造の変更は、本発明の精神から逸脱せずに特許請求の範囲内で行い得るものと理解されたい。
【００１８】
添付図面に関連して述べる以下の説明は、本発明の好ましい実施態様を説明するものであって、本発明を構成または利用し得る唯一の形態を表すものではない。この説明では、例示した実施態様に関連して本発明を構成および操作するための機能および工程の順序について述べる。しかしながら、同一または同等な機能は、本発明の精神および範囲内に同様に包含される種々の実施態様によっても達成し得ることを理解されたい。
【００１９】
本発明の隔離バッグは、本明細書では、戦場状況において特定の用途を有するものとして説明かつ例示しているが、緊急救助および医療的避難、特に、有毒のガスまたは粒子の放出または生成が環境を汚染したり、緊急事態または災害の地域か、またはその地域の付近にいる人々が緊急にガス除去および治療を必要とする場合などの種々の異なる民間用の用途に利用し得ることが当業者には理解されよう。従って、本明細書に使用する医療患者、患者および負傷者という言葉は、緊急医療を必要とする事故のおよび／または医学的症状の、患者および／または犠牲者を含むものと定義される。
【００２０】
ここで図面を参照する。先ず図１を参照する。患者を戦場または事故現場から病院に輸送するための、担架１２と、担架１２に接続可能な隔離バッグ１４とを組み合わせたものからなる自蔵式隔離および環境保護システム１０が示されている。典型的な場合には、担架１２は、基端部１２ａおよび先端部１２ｂと、医療患者を通常あおむけ姿勢で乗せる上部台表面１２ｃとを有するように構成されている。
【００２１】
担架１２は、その上に乗せた患者の状態を監視しかつ患者に応答するための装置を備えた当業界では周知の数種のシステムのうちのいずれの形態をとってもよく、典型的には、血圧、体温、血中酸素および心拍数をモニターする装置を含む。そのような担架の例としては、同時係属米国特許出願第０８／６６７，６９３号（この特許出願の教示は、本明細書に参照として組み込むものとする）に開示されている輸送可能な自蔵式生命維持システムが挙げられる。そのような担架１２は、典型的には、ＵＨ−６０ブラックホーク型ヘリコプター、ＵＨ−１ヒューイ型ヘリコプター、ＨＭＭＷＶ、Ｃ−１３０翼付き航空機および／またはＣ１４１固定翼航空機を初めとする多様な軍事輸送車両および航空機内に取り付けられて運ばれるように設計かつ構成されたものであればさらに有利である。さらに、そのような構成は、本発明の輸送可能な生命維持システム１０が戦場の負傷者を乗せた標準型ＮＡＴＯ担架を運ぶのと同じような方法で前述の軍事避難車両に乗せて簡単に運べるように標準型ＮＡＴＯ担架取り付け台にも適合する。そのような担架１２の輸送を容易にするために、典型的には、担架１２は、基端部と先端部から伸張する保持部材３４を具備している。
【００２２】
図示してはいないが、典型的にそのような担架１２に組み込まれているものには、環境からの空気を吸い込み、汚染粒子および空気からのガスを濾過して抽出し、得られた精製された空気を患者の周囲に形成された包囲装置内に送り込むように設計された通気システムが含まれる。濾過された空気は、典型的には、移動ユニットまたは担架１２内から再循環された空気と混合される。必要な場合には、混合気を所定の温度に加熱または冷却し、次いで、移動ユニット内に送り込み、その後で除去し、残留粒子およびガスが抽出されるように濾過する。
【００２３】
そのような通気システムは、典型的には、このシステムに連結され、通気装置および他の医療装置の操作を調節するように設計された制御回路２２を介して制御される。好ましくは、さらに担架１２内には加熱装置（図示せず）がさらに配置され、加熱装置は、担架１２の内部を所定の最低温度以上に維持するように担架１２の内部または台表面１２ｃに熱を供給するために制御回路２２と電気連絡している。
【００２４】
担架１２の上に取り付けられているのは、本発明の好ましい実施態様に従って構成された隔離バッグ１４である。隔離バッグ１４は、図示されているように、最初に折りたたまれた梱包形状をとるように設計かつ構成されるのが好ましく、ストラップ１６を用いて担架１２に固定してもよい。隔離バッグ１４は、化学および／または生物攻撃、すなわち、戦場で用いられる有害ガスもしくは細菌兵器、または偶発的な有害物質の放出に対して抵抗のある材料から製造する。さらに、隔離バッグ１４は、雨、風、塵埃、高温、寒冷、多湿および乾燥天候条件から生じる過酷かつ厳しい気候条件に耐え得る、当業界において周知の材料から製造される。さらに、そのような隔離バッグ１４は、使用時には、図３および図４に描写されている内部に収容された患者３６を医者が目視し得るように透明な材料から製造するのが好ましい。さらに、透明な隔離バッグ１４を提供することにより、内部に収容されている患者３６は、そのような個体が自分の周囲を見ることができる限り、閉所恐怖症の事象を経験する可能性が低い。
【００２５】
ここで図２を参照する。負傷者３６を覆うように配備された隔離バッグ１４が示されており、負傷者３６は、担架１２の台表面１２ｃ上におあむけ姿勢をとっている。示されているように、隔離バッグ１４は、２つの部分、すなわち、下部バッグ部分１４ｂと上部バッグ部分１４ａとを備える。バッグ部分１４ａも１４ｂも、担架１２の基端部１２ａから文字Ａで示されている方向に伸びる。負傷者３６が隔離バッグ１４内でこのような姿勢をとるためには、先ず、下部バッグ部分１４ｂを台表面１２ｃの上に伸ばし、次いで患者３６を覆うように上部バッグ部分１４ａを担架の先端部に向かって伸ばして患者３６を覆う天蓋を形成することが理解されよう。
【００２６】
上部および下部バッグ部分１４ａ、１４ｂが互いに気密封鎖部を形成するためには、それぞれの周縁に沿って、協同して漏れ止めジッパー様封鎖部を形成するそれぞれ組になった歯状突起１８、３８が形成される。これに関して、隔離バッグ１４は摺動ファスナー２０を有し、同ファスナー２０は、患者の周囲を文字Ｂで示されている方向に進むと、それぞれの歯状突起１８、３８が互いに係合されて、図３に示されている気密封鎖部４４を形成する。また、隔離バッグ１４は、以下にさらに詳細に説明するが、担架１２の先端部１２ｂ上に形成された排気バルブ３０、３２と連続するように設計された排気管４０、４２を具備している。さらに、隔離バッグ１４は、空気送込バルブ２４、２６と連絡させるためのノズル２８を取り付け可能な、図４に示されている溝縁５２を備える。以下にさらに詳細に説明するが、空気送込バルブ２４、２６は、制御回路２２により、通過する空気流を隔離バッグ１４中に誘導することが可能であることが当業者には認識されよう。
【００２７】
ここで図３を参照する。隔離バッグ１４、より特定的には、その上部バッグ部分１４ａが膨張状態で示されている。これに関して、水平周縁４６とそこから伸張するリブ４８は、上部バッグ部分１４ａの材料内に包まれた、互いに流体の行き来が可能であるように接続する可撓性内部管によって形成された管状ガス通路として形成されている。そのような材料は、管状部分４６、４８の周りに加熱封鎖部または縫製し得る可撓性プラスチック材料から形成してよく、隔離バッグ１４が使用される環境に見出されると予測される汚染物に対して不透性の材料から製造するのが好ましい。代替実施態様においては、管状ガス通路４６、４８は、上部バッグ部分１４ａと一体形成される。
【００２８】
図５に示されているように、空気は、送込バルブ２４、２６から供給され、好ましくは溝縁接続５２の形態をとるのが好ましいダクトを介して管状通路４６．４８を通って流れる。当業者には認識されるであろうが、ガス通路４６、４８は、送込バルブ２４、２６から溝縁接続５２を通って流れる空気によって膨張状態となり、医療患者３６を隔離するチャンバまたはカプセル５０を規定する半剛体構造を形成するように溝縁５２に連結されている。医用グレードの空気、すなわち、酸素が豊富な空気または酸素は、通気装置（図示せず）を介して送込バルブ２４、２６へ、そして最後には患者３６に供給される。そのような酸素が豊富な空気または酸素は、機内に搭載された酸素生成システム、加圧酸素ボンベ、またはその外部供給源を介して通気装置に供給し得る。説明したように、さらに、担架１２内には、当業者には理解されるように、空気を担架上部に吸い込むためのファンと、空気を化学、生物および放射線汚染物から濾過するためのフィルターとからなる環境制御システムが含まれているのが好ましい。さらに、空気が通気装置から、給気管２４、２６、通路４６、４８を通って、患者３６の上まで進むときに、空気を所望の温度に調節する空気温度制御装置を具備するのが好ましい。
【００２９】
空気は、最終的には、文字Ｃで示されているように、膨張状態の隔離バッグ１４によって区画されたチャンバ５０の周囲から内側に向かって径方向に送り出される。図６にさらに詳細に示されているように、水平周縁管状通路４６に沿って進む空気の通路５４は、アーチ形のリブ通路４８を通って上方に流れ、最終的に、通路４８上に形成された孔５６を介して流れ出る。当業者には理解されるであろうが、チャンバ５０の周囲のそのような内側に向かう径方向の空気流により、内部に収容されている患者はそのような清新にされた空気で完全に洗浄される。
【００３０】
空気は、一旦患者３６の周囲を洗浄すると、上部バッグ部分１４ａの先端部に形成された排気管４０、４２を介して除去される。そのような管は、担架１２の先端部１２ｂ上に形成された排気バルブ３０、３２に接続可能である。排気バルブ３０、３２は、真空の力により、図５にＤ方向として示されているように隔離バッグ１４の基端部からその先端部に空気を吸い込む。チャンバ５０内に送り込まれた空気を基端部から先端部へ誘導することにより、空気が患者の全身を頭のてっぺんからつま先へ向かう流れ方向に洗浄する。当業者には理解されるであろうが、そのような方法で汚染された患者を全面にわたって空気洗浄することにより、衣類および皮膚に付着している毒性および感染性残留物が迅速に除去され、それらの残留物は、一旦チャンバ５０から除去されて、排気バルブ３０、３２に入ると、担架１２に内蔵されている空気再循環システム（図示せず）を介して濾過、除染されるという点で有効である。さらに、そのような方法で患者を空気浴させることにより、停滞空気ポケットが排除され、それによって均一な加熱、冷却および湿度の制御が容易になる。
【００３１】
まだ明らかにしていない範囲の本発明の隔離バッグ１４の操作に関して、そのような操作は、隔離バッグ１４をその折りたたまれた梱包状態から外す工程と、バッグの溝縁５２を通気ノズル２８に取り付ける工程とを含み、通気ノズル２８は、担架１２に内蔵されている通気システムの一部として形成されている。次いで、下部バッグ部分１４ｂを担架１２の台表面１２ｃ上に広げ、次いで、患者をその上に寝かす。理解されるであろうが、追加の医療デバイス、管、ワイヤなどが配備される場合、それらは隔離バッグの開口部を介して、その上に配置されている患者に接続される。
【００３２】
その後、上部および下部バッグ部分の周縁にそってファスナー装置２０を摺動させ、気密封鎖部を形成する。排気ホース４０、４２は、担架の上に形成された排気バルブ３０、３２と連絡している。次いで、担架１２に内蔵されている環境システムおよび除染システムを活性化させ、同時に、担架１２に内蔵された通気装置から、空気を、通路２４、２６および溝縁５２を通って最後に隔離バッグ１４に通過させる。
【００３３】
このように、空気は、上述のように患者の全身にわたって頭のてっぺんからつま先まで流れ、排気ホース４０、４２を介して除去されるであろう。このような隔離状態にある間に、患者は慣用手段により輸送され、適当な医療施設に到着すれば、必要に応じて治療を受けることが可能である。このためには、通気システムを止めるだけでよく、封鎖可能な閉鎖部を開いて、患者にアクセスする。図示してはいないが、本発明の隔離バッグ１４は、さらに、患者へのアクセス手段を備えていてよく、このアクセス手段は、隔離バッグ１４上に形成されかつ完全に患者にアクセスするのに効果的な位置に形成した可撓性ハンドカバータイプの門を含んでいてよい。そのような門システムは、当業者には理解されるように、左手／右手が独立するように設計され、かつ医療スタッフの手の操作能力と指先の器用さとを最大にするように設計するのが好ましい。隔離バッグ１４は、使用後に廃棄してもよいし、あるいは、再利用するために、除染、滅菌および再梱包してもよい。
【００３４】
本明細書では、本発明をその好ましい実施態様に関連して説明したが、当業者には、本発明の精神および範囲を逸脱しなければ、種々の追加、変更、削除および改変を実施し得ることが理解されよう。従って、妥当に予測可能な全ての追加、変更、削除および改変は、特許請求の範囲で規定されている本発明の範囲内に包含されるものとする。
【図面の簡単な説明】
【図１】  輸送可能な自蔵式生命維持システムを内蔵する従来の担架と組み合わせて予め梱包されて折りたたまれた形状で示されている、本発明の好ましい実施態様に従って構成された隔離バッグの斜視図。
【図２】  本発明の隔離バッグが周囲に配備されている担架上にあおむけ姿勢をとっている患者の斜視図。
【図３】  本発明の隔離バッグ内に完全に包含されている図２の患者の斜視図。
【図４】  隔離バッグに連結された状態で示されている通気システムをさらに示す図３の患者、隔離バッグおよび生命維持システムの背面斜視図。
【図５】  隔離バッグ上に形成された管状ガス通路により分配されて隔離バッグ内に送出された空気流を示す本発明の隔離バッグの斜視図。
【図６】  通過する空気流の方向を示す複数の孔を示す、本発明の隔離バッグ上に形成された管状ガス通路の一部の斜視図。
【図１】
0004494627.tif 000002
【図２】
0004494627.tif 000003
【図３】
0004494627.tif 000004
【図４】
0004494627.tif 000005
【図５】
0004494627.tif 000006
【図６】
0004494627.tif 000007